(57)【要約】  室外機は、室外機外の空気を取り込む吸気口が設けられた複数のパネルによって外郭の側面が形成されるとともに、複数のパネルのうち少なくとも１つがサービスパネルとされており、熱源側熱交換器は、サービスパネルを含む側面に沿って設けられる第１の熱源側熱交換器と、サービスパネルを含む側面とは異なる側面に沿って設けられる第２の熱源側熱交換器との複数に分割されて構成されており、第１の熱源側熱交換器は、暖房運転の際に、冷媒の流路が空気の流れに対して並行流となる。  本発明によれば、室外機の筐体に設けられたサービスパネルに対するドレン水の飛散を抑制し、ドレン水の氷結を防止することが可能になる。
2017072866.tif 000002
【特許請求の範囲】
【請求項１】
圧縮機、冷媒流路切替装置及び熱源側熱交換器を含む室外機と、絞り装置及び利用側熱交換器を含む室内機とを備え、前記室外機及び前記室内機が配管で接続され、前記室外機、前記室内機及び前記配管内を冷媒が流れる空気調和装置であって、  前記室外機は、  前記室外機外の空気を取り込む吸気口が設けられた複数のパネルによって外郭の側面が形成されるとともに、前記複数のパネルのうち少なくとも１つがサービスパネルとされており、  前記熱源側熱交換器は、  前記サービスパネルを含む側面に沿って設けられる第１の熱源側熱交換器と、前記サービスパネルを含む側面とは異なる側面に沿って設けられる第２の熱源側熱交換器との複数に分割されて構成されており、  前記第１の熱源側熱交換器は、  暖房運転の際に、前記冷媒の流路が前記空気の流れに対して並行流となる空気調和装置。
【請求項２】
前記暖房運転の際に、前記第１の熱源側熱交換器に流入する前記冷媒の流量を調整する冷媒流量調整機構を備える請求項１に記載の空気調和装置。
【請求項３】
前記冷媒流量調整機構は、  前記第１の熱源側熱交換器に流入する冷媒の流量を、前記第１の熱源側熱交換器の熱交換容量を前記熱源側熱交換器全体の熱交換容量で除して得られる容量比率に、前記熱源側熱交換器全体を流れる冷媒の冷媒流量を乗じることによって得られる冷媒流量以下に調整する請求項２に記載の空気調和装置。
【請求項４】
前記第１の熱源側熱交換器は、  Ｌ字状に形成され、  前記サービスパネルと該サービスパネルに隣接するパネルとに沿って設けられる請求項１〜３のいずれか一項に記載の空気調和装置。
【請求項５】
前記第１の熱源側熱交換器は、  平板状に形成され、  前記サービスパネルに沿って設けられる請求項１〜３のいずれか一項に記載の空気調和装置。
【請求項６】
前記第１の熱源側熱交換器は、  前記冷媒が流入する冷媒流入口が、取り込まれる前記空気の流れに対して風上側に設けられるとともに、前記冷媒が流出する冷媒流出口が、取り込まれる前記空気の流れに対して風下側に設けられる請求項１〜５のいずれか一項に記載の空気調和装置。
【請求項７】
前記第１の熱源側熱交換器の前記冷媒流入口及び前記冷媒流出口は、  同一の端面に設けられる請求項６に記載の空気調和装置。
【請求項８】
前記第１の熱源側熱交換器の前記冷媒流入口及び前記冷媒流出口は、  異なる端面に設けられる請求項６に記載の空気調和装置。
【請求項９】
圧縮機、冷媒流路切替装置及び熱源側熱交換器を備え、各部及び該各部を接続する配管内を冷媒が流れる空気調和装置の室外機であって、  前記室外機外の空気を取り込む吸気口が設けられた複数のパネルによって外郭の側面が形成されるとともに、前記複数のパネルのうち少なくとも１つがサービスパネルとされており、  前記熱源側熱交換器は、  前記サービスパネルを含む側面に沿って設けられる第１の熱源側熱交換器と、前記サービスパネルを含む側面とは異なる側面に沿って設けられる第２の熱源側熱交換器との複数に分割されて構成されており、  前記第１の熱源側熱交換器は、  前記冷媒が流入する冷媒流入口が、取り込まれる前記空気の流れに対して風上側に設けられるとともに、前記冷媒が流出する冷媒流出口が、取り込まれる前記空気の流れに対して風下側に設けられ、  暖房運転の際に、前記冷媒の流路が前記空気の流れに対して並行流となる空気調和装置の室外機。
【発明の詳細な説明】
【技術分野】
【０００１】  本発明は、空気調和装置及び空気調和装置の室外機に関し、特に、熱源側熱交換器の構造に関するものである。
【背景技術】
【０００２】  空気調和装置の室外機においては、室外熱交換器が蒸発器となる暖房運転時に、室外熱交換器に着霜し、熱交換が阻害されることがある。そのため、このような空気調和装置では、一般に、着霜した際に霜を取り除く霜取運転を行う。【０００３】  霜取運転が行われると、室外熱交換器に付着した霜が溶けてドレン水となり、室外機の外部に排出されるが、このとき、ドレン水が飛散して室外機の筐体内部に付着することがある。  ここで、外気温が０℃以下等の低い状態である場合には、筐体内部に付着したドレン水が外部に排出される前に氷結する虞がある。【０００４】  そこで、このような問題を改善するため、室外機の内部に溜まったドレン水を速やかに排出し、氷結を抑制することが可能な排水構造を備えた空気調和装置が提案されている（例えば、特許文献１参照）。【０００５】  一方、室外機としては、性能を向上させるために、略Ｌ字状に形成した２つの室外熱交換器を室外機の筐体の周囲全体に沿うようにして対称形に配置したものが提案されている（例えば、特許文献２参照）。
【先行技術文献】
【特許文献】
【０００６】
【特許文献１】特開２０１５−６１９９７号公報
【特許文献２】特開２００１−２１２８４号公報
【発明の概要】
【発明が解決しようとする課題】
【０００７】  しかしながら、特許文献２に記載の室外機においては、室外熱交換器から流れるドレン水がサービス面側のパネル（以下、「サービスパネル」と適宜称する）に飛散して氷結すると、修理やメンテナンス等の保守作業を容易に実行できるといったサービス性を阻害してしまうという問題点があった。  ここで、「サービス面」とは、筐体を形成する側面のうち、修理やメンテナンス等の保守作業（サービス）を行う際に作業者が使用する面とする。【０００８】  そこで、本発明は、上記従来の技術における問題点に鑑みてなされたものであって、室外機の筐体に設けられたサービスパネルに対するドレン水の飛散を抑制し、ドレン水の氷結を防止することが可能な空気調和装置及び空気調和装置の室外機を提供することを目的とする。
【課題を解決するための手段】
【０００９】  本発明の空気調和装置は、圧縮機、冷媒流路切替装置及び熱源側熱交換器を含む室外機と、絞り装置及び利用側熱交換器を含む室内機とを備え、前記室外機及び前記室内機が配管で接続され、前記室外機、前記室内機及び前記配管内を冷媒が流れる空気調和装置であって、前記室外機は、前記室外機外の空気を取り込む吸気口が設けられた複数のパネルによって外郭の側面が形成されるとともに、前記複数のパネルのうち少なくとも１つがサービスパネルとされており、前記熱源側熱交換器は、前記サービスパネルを含む側面に沿って設けられる第１の熱源側熱交換器と、前記サービスパネルを含む側面とは異なる側面に沿って設けられる第２の熱源側熱交換器との複数に分割されて構成されており、前記第１の熱源側熱交換器は、暖房運転の際に、前記冷媒の流路が前記空気の流れに対して並行流となるものである。
【発明の効果】
【００１０】  以上のように、本発明によれば、室外機の筐体に設けられたサービスパネルに対するドレン水の飛散を抑制し、ドレン水の氷結を防止することが可能になる。
【図面の簡単な説明】
【００１１】
【図１】本発明の実施の形態１に係る空気調和装置の回路構成の一例を示す概略図である。
【図２】本発明の実施の形態１に係る空気調和装置における室外機の外観の一例を示す斜視図である。
【図３】本発明の実施の形態１に係る空気調和装置における室外機の一例を上面から見た際の断面を模式的に示す図である。
【図４】図３の第１の熱源側熱交換器１３ａの一例を示す斜視図である。
【図５】本発明の実施の形態２に係る空気調和装置の回路構成の一例を示す概略図である。
【発明を実施するための形態】
【００１２】実施の形態１．（空気調和装置）  以下、本発明の実施の形態１に係る空気調和装置について説明する。  図１は、本発明の実施の形態１に係る空気調和装置１の回路構成の一例を示す概略図である。図１に示すように、空気調和装置１は、室外機１０及び複数の室内機２０Ａ、２０Ｂ、・・・を備え、室外機１０及び複数の室内機２０Ａ、２０Ｂ、・・・が冷媒配管３０によって接続される。この例は、１つの室外機１０に対して３つの室内機２０Ａ、２０Ｂ及び２０Ｃが接続された場合を示す。
【００１３】  なお、室外機１０に接続される室内機２０の数は、この例に限られず、例えば１つの室外機１０に対して１つの室内機２０が接続されてもよいし、２つあるいは４つ以上の室内機２０が接続されてもよい。また、例えば、複数の室外機１０に対して１又は複数の室内機２０が接続されてもよい。
【００１４】（室外機の構成）  室外機１０は、主に、圧縮機１１、四方弁等の冷媒流路切替装置１２、熱源側熱交換器（室外熱交換器）１３、及びアキュムレータ１４で構成される。
【００１５】  圧縮機１１は、低温低圧の冷媒を吸入し、その冷媒を圧縮して高温高圧の状態にして吐出する。圧縮機１１としては、例えば、容量制御可能なインバータ圧縮機等を用いることができる。
【００１６】  冷媒流路切替装置１２は、冷媒の流れる方向を切り替えることにより、冷房運転及び暖房運転の切り替えを行う。
【００１７】  熱源側熱交換器１３は、図示しないファン等の熱源側送風機によって供給される空気と冷媒との間で熱交換を行う。具体的には、熱源側熱交換器１３は、冷房運転の際に、冷媒の熱により空気等を加熱する凝縮器として機能する。また、熱源側熱交換器１３は、暖房運転の際に、冷媒を蒸発させ、その際の気化熱により空気等を冷却する蒸発器として機能する。
【００１８】  アキュムレータ１４は、圧縮機の吸入側に設けられる。アキュムレータ１４は、冷房運転と暖房運転の運転状態の違いによって生じる余剰冷媒、過渡的な運転の変化に対する余剰冷媒等を貯留する。
【００１９】（室内機の構成）  室内機２０Ａ、２０Ｂ及び２０Ｃは、それぞれ利用側熱交換器（室内熱交換器）２１Ａ、２１Ｂ、２１Ｃ及び絞り装置２２Ａ、２２Ｂ、２２Ｃによって構成される。  なお、以下の説明において、室内機２０Ａ、２０Ｂ及び２０Ｃと特に区別する必要がない場合には、単に「室内機２０」と適宜称する。また、利用側熱交換器２１Ａ〜２１Ｃ、及び絞り装置２２Ａ〜２２Ｃについても同様に、単に「利用側熱交換器２１」及び「絞り装置２２」と適宜称する。
【００２０】  利用側熱交換器２１は、図示しないファン等の利用側送風機によって供給される空気と冷媒との間で熱交換を行う。これにより、室内空間に供給される暖房用空気又は冷房用空気が生成される。  利用側熱交換器２１は、冷房運転の際に蒸発器として機能する。また、利用側熱交換器２１は、暖房運転の際に凝縮器として機能する。
【００２１】  絞り装置２２は、例えば弁であり、冷媒を減圧して膨張させる。絞り装置２２は、例えば、電子式膨張弁等の開度の制御が可能な弁で構成される。
【００２２】（空気調和機の動作）  次に、上記構成を有する空気調和装置１における冷房運転モード（又は霜取運転モード）及び暖房運転モードでの冷媒の動作について説明する。  なお、図１に示す例において、冷媒流路切替装置１２の実線で示す状態が冷房運転モード（又は霜取運転モード）での状態であり、冷媒の流れ方向を実線で示す。また、冷媒流路切替装置１２の点線で示す状態が暖房運転モードでの状態であり、冷媒の流れ方向を点線で示す。
【００２３】（冷房運転モード／霜取運転モード）  まず、冷房運転モード（又は霜取運転モード）での冷媒の動作について説明する。  冷房運転モード（又は霜取運転モード）では、冷媒流路切替装置１２が図１の実線で示す状態に切り替えられる。そして、低温低圧の冷媒が圧縮機１１によって圧縮され、高温高圧のガス冷媒となって吐出される。
【００２４】  圧縮機１１から吐出された高温高圧のガス冷媒は、冷媒流路切替装置１２を介して熱源側熱交換器１３に流入する。熱源側熱交換器１３に流入した高温高圧のガス冷媒は、室外空気と熱交換して放熱しながら凝縮し、過冷却状態の高圧の液冷媒となって熱源側熱交換器１３から流出する。
【００２５】  熱源側熱交換器１３から流出した高圧の液冷媒は、絞り装置２２によって減圧されて低温低圧の気液二相冷媒となり、利用側熱交換器２１に流入する。利用側熱交換器２１に流入した低温低圧の気液二相冷媒は、室内空気と熱交換して吸熱及び蒸発することにより室内空気を冷却し、低温低圧のガス冷媒となって利用側熱交換器２１から流出する。
【００２６】  利用側熱交換器２１から流出した低温低圧のガス冷媒は、冷媒流路切替装置１２及びアキュムレータ１４を通過して、圧縮機１１へ吸入される。
【００２７】（暖房運転モード）  次に、暖房運転モードでの冷媒の動作について説明する。  暖房運転モードでは、冷媒流路切替装置１２が図１の点線で示す状態に切り替えられる。そして、低温低圧の冷媒が圧縮機１１によって圧縮され、高温高圧のガス冷媒となって吐出される。
【００２８】  圧縮機１１から吐出された高温高圧のガス冷媒は、冷媒流路切替装置１２を介して利用側熱交換器２１に流入する。利用側熱交換器２１に流入した高温高圧のガス冷媒は、室内空気と熱交換して放熱しながら凝縮し、過冷却状態の高圧の液冷媒となって利用側熱交換器２１から流出する。
【００２９】  利用側熱交換器２１から流出した高圧の液冷媒は、絞り装置２２によって減圧されて低温低圧の気液二相冷媒となり、熱源側熱交換器１３に流入する。熱源側熱交換器１３に流入した低温低圧の気液二相冷媒は、室外空気と熱交換して吸熱及び蒸発し、低温低圧のガス冷媒となって熱源側熱交換器１３から流出する。
【００３０】  熱源側熱交換器１３から流出した低温低圧のガス冷媒は、冷媒流路切替装置１２及びアキュムレータ１４を通過して、圧縮機へ吸入される。
【００３１】（室外機の構造）  次に、本実施の形態１に係る空気調和装置１における室外機１０の構造について説明する。  図２は、本発明の実施の形態１に係る空気調和装置１における室外機１０の外観の一例を示す斜視図である。図３は、本発明の実施の形態１に係る空気調和装置１における室外機１０の一例を上面から見た際の断面を模式的に示す図である。なお、図３において、点線で示す部分は、後述する上面パネル５０ｅに設けられるファン５１を示し、実際の断面には表れないものである。
【００３２】  室外機１０は、例えば直方体状に形成され、その外郭が筐体５０で構成される。  筐体５０は、前面パネル５０ａ、背面パネル５０ｂ、２つの側面パネル５０ｃ及び５０ｄ、上面パネル５０ｅ、底面パネル５０ｆで構成される。これらの各パネル５０ａ〜５０ｄのうち少なくとも１つのパネルがサービス面側のパネルであるサービスパネルとされる。
【００３３】  図２に示す例は、前面パネル５０ａがサービスパネルである場合を示す。なお、サービスパネルは、この例に限られず、例えば、側面パネル５０ｃ、５０ｄ等の他のパネルとしてもよい。
【００３４】  前面パネル５０ａ、背面パネル５０ｂ、側面パネル５０ｃ及び５０ｄには、室外空気を取り入れるための吸気口が設けられる。また、上面パネル５０ｅには、室外機１０内の空気を室外へ放出するための排出機構としてのファン５１が設けられる。
【００３５】  図３に示すように、室外機１０の内部には、各パネル５０ａ〜５０ｄに沿うようにして熱源側熱交換器１３が設けられる。本実施の形態１において、熱源側熱交換器１３は、例えば、平面視Ｌ字状に形成された第１の熱源側熱交換器１３ａ及び第２の熱源側熱交換器１３ｂからなる。
【００３６】  第１の熱源側熱交換器１３ａは、前面パネル５０ａ及び側面パネル５０ｄに沿うようにして設けられる。また、第２の熱源側熱交換器１３ｂは、背面パネル５０ｂ及び側面パネル５０ｃに沿うようにして設けられる。
【００３７】  第１の熱源側熱交換器１３ａ及び第２の熱源側熱交換器１３ｂにおける一方の端面には、冷媒流入口１５ａ及び冷媒流出口１５ｂが設けられる。  第１の熱源側熱交換器１３ａにおいては、冷媒流入口１５ａが前面パネル５０ａから取り込まれる室外空気の流れに対して風上側に設けられ、冷媒流出口１５ｂが室外空気の流れに対して風下側に設けられる。  一方、第２の熱源側熱交換器１３ｂにおいては、冷媒流入口１５ａが背面パネル５０ｂから取り込まれる室外空気の流れに対して風下側に設けられ、冷媒流出口１５ｂが室外空気の流れに対して風上側に設けられる。
【００３８】  図４は、図３の第１の熱源側熱交換器１３ａの一例を示す斜視図である。  第１の熱源側熱交換器１３ａは、空気の流れ方向に対して複数列に配置された複数の伝熱管１６と、複数のフィン１７とで構成される。また、第１の熱源側熱交換器１３ａは、複数列の伝熱管１６が空気の流れ方向に対して鉛直方向に複数段設けられる。  伝熱管１６は、所定の間隔で並べられた複数のフィン１７に設けられた貫通孔を貫通するように設けられ、内部を冷媒が流れる。
【００３９】  第１の熱源側熱交換器１３ａは、複数のフィン１７の間を通過する空気と、複数の伝熱管１６内を流れる冷媒との間で熱交換を行う。  第１の熱源側熱交換器１３ａは、伝熱管１６内を流れる冷媒と外部を流れる空気との熱を、フィン１７を介して伝えることにより、空気との接触面となる表面積が大きくなり、冷媒と空気との間の熱交換を効率的に行うことができる。
【００４０】  なお、図４では、複数列に配置された複数の伝熱管１６が複数段設けられた例を示すが、この例に限られず、例えば、段数を１段としてもよい。
【００４１】  次に、暖房運転時に熱源側熱交換器１３が蒸発器として使用される場合の、熱源側熱交換器１３における冷媒流路及び冷媒温度の関係、並びに着霜量及び霜取運転時の融解水量について説明する。
【００４２】（冷媒流路及び冷媒温度の変化について）  熱源側熱交換器１３の冷媒流入口１５ａを空気流れの風上側に設けるとともに、冷媒流出口１５ｂを風下側に設けた場合、冷媒は、冷媒流入口１５ａから流入し、風上側の列の伝熱管１６内を流れた後、風下側の列の伝熱管１６内を流れ、冷媒流出口１５ｂから流出する。したがって、熱源側熱交換器１３は、冷媒及び空気の流れ方向が一致する並行流方式となる。  一方、熱源側熱交換器１３の冷媒流入口１５ａを空気流れの風下側に設けるとともに、冷媒流出口１５ｂを風上側に設けた場合、冷媒は、冷媒流入口１５ａから流入し、風下側の列の伝熱管１６内を流れた後、風上側の列の伝熱管１６内を流れ、冷媒流出口１５ｂから流出する。したがって、熱源側熱交換器１３は、冷媒及び空気の流れ方向が異なる（対向する）対向流方式となる。  すなわち、本実施の形態１において、暖房運転時の第１の熱源側熱交換器１３ａは並行流方式となり、第２の熱源側熱交換器１３ｂは対向流方式となる。
【００４３】  ここで、一般的に、冷媒流入口から蒸発器として使用される熱交換器に流入した二相冷媒は、取り込まれた空気と熱交換を行いながら熱交換器内の配管を流れるが、このときに配管内の圧力損失（摩擦損失）によって圧力が低下し、それに伴い温度が低下する。  そのため、熱交換器では、冷媒流入口における冷媒の温度が高く、冷媒流出口における冷媒の温度が低くなる。
【００４４】  本実施の形態１において、暖房運転時の第１の熱源側熱交換器１３ａは、並行流方式であり、冷媒流入口１５ａ及び冷媒流出口１５ｂがそれぞれ空気流れの風上側及び風下側に設けられるため、風下側の冷媒温度が低くなることになる。  また、暖房運転時の第２の熱源側熱交換器１３ｂは、対向流方式であり、冷媒流入口１５ａ及び冷媒流出口１５ｂがそれぞれ空気流れの風下側及び風上側に設けられるため、風上側の冷媒温度が低くなることになる。
【００４５】（着霜量及び霜取運転時の融解水量について）  一方、暖房運転時に熱交換器に付着する霜の量（着霜量）は、冷媒温度が低いほど多くなり、冷媒温度が高いほど少なくなる。  そのため、本実施の形態１において、並行流方式である第１の熱源側熱交換器１３ａでは、冷媒流出口１５ｂが設けられた風下側の着霜量が多く、冷媒流入口１５ａが設けられた風上側の着霜量が少なくなる。  また、対向流方式である第２の熱源側熱交換器１３ｂでは、冷媒流出口１５ｂが設けられた風上側の着霜量が多く、冷媒流入口１５ａが設けられた風下側の着霜量が少なくなる。
【００４６】  そして、霜取運転時には、暖房運転時に熱源側熱交換器１３に付着した霜が融解し、滴下することになる。  したがって、並行流方式である第１の熱源側熱交換器１３ａでは、風下側の融解水量が多くなり、対向流方式である第２の熱源側熱交換器１３ｂでは、風上側の融解水量が多くなる。
【００４７】  このように、本実施の形態１では、サービスパネルに沿って設けられた第１の熱源側熱交換器１３ａにおいて、取り込まれる空気の風下側での融解水量が多くなり、風上側での融解水量を少なくすることができる。そのため、第１の熱源側熱交換器１３ａに付着した霜が融解して生じるドレン水がサービスパネルである前面パネル５０ａに付着して氷結するのを抑制することができる。
【００４８】実施の形態２．  次に、本発明の実施の形態２に係る空気調和装置ついて説明する。  本実施の形態２に係る空気調和機では、暖房運転時に、サービスパネルに沿って設けられた熱源側熱交換器から流出する冷媒の冷媒流出口での温度を高くする。これにより、当該熱源側熱交換器への着霜を抑制し、霜取運転時に発生するドレン水の量を抑制するようにした。
【００４９】（空気調和機の構成）  図５は、本発明の実施の形態２に係る空気調和装置の回路構成の一例を示す概略図である。なお、以下の説明において、実施の形態１と同様の部分には同一の符号を付し、詳細な説明を省略する。  図５に示すように、空気調和装置２は、室外機１００及び複数の室内機２０Ａ、２０Ｂ、・・・を備え、室外機及び複数の室内機が冷媒配管３０によって接続される。
【００５０】（室外機の構成）  室外機１００は、主に、圧縮機１１、冷媒流路切替装置１２、熱源側熱交換器１３、アキュムレータ１４、及び冷媒流量調整機構１１０で構成される。
【００５１】  熱源側熱交換器１３は、例えば、実施の形態１と同様に第１の熱源側熱交換器１３ａ及び第２の熱源側熱交換器１３ｂからなり、第１の熱源側熱交換器１３ａがサービスパネル（前面パネル５０ａ）に沿って設けられる。
【００５２】  冷媒流量調整機構１１０は、暖房運転時に、第１の熱源側熱交換器１３ａに流入する冷媒の流量が予め設定された流量となるように調整する。  冷媒流量調整機構１１０としては、例えば、暖房運転時に予め設定された流量の冷媒が流れるように、第１の熱源側熱交換器１３ａに接続される配管の径及び長さの少なくとも一方を調整したものを用いることができる。  また、これに限られず、例えば、冷媒流量調整機構１１０として電子式膨張弁を用い、その開度を予め設定された所定の開度に設定するようにしてもよい。なお、冷媒流量調整機構１１０として電子式膨張弁を用いる場合には、冷房運転時における開度を、例えば上述したように設定された開度としてもよいし、全開開度としてもよい。
【００５３】（室内機の構成）  室内機２０Ａ、２０Ｂ及び２０Ｃは、それぞれ利用側熱交換器（室内熱交換器）２１Ａ、２１Ｂ、２１Ｃ及び絞り装置２２Ａ、２２Ｂ、２２Ｃによって構成される。なお、室内機２０Ａ、２０Ｂ及び２０Ｃについては、実施の形態１と同様であるため、説明を省略する。
【００５４】（空気調和機の動作）  次に、上記構成を有する空気調和装置２における暖房運転モードでの冷媒の動作について説明する。なお、冷房運転モード（又は霜取運転モード）での動作については、冷房運転モード（又は霜取運転モード）では冷媒流量調整機構１１０が動作しないため、実施の形態１と同様であるので、説明を省略する。  図５に示す例は、暖房運転時の状態及び冷媒の流れ方向を示す。
【００５５】（暖房運転モード）  暖房運転モードでは、冷媒流路切替装置１２が図５に示す状態に切り替えられる。そして、低温低圧の冷媒が圧縮機１１によって圧縮され、高温高圧のガス冷媒となって吐出される。
【００５６】  圧縮機１１から吐出された高温高圧のガス冷媒は、冷媒流路切替装置１２を介して利用側熱交換器２１に流入し、室内空気と熱交換して放熱しながら凝縮し、過冷却状態の高圧の液冷媒となって利用側熱交換器２１から流出する。
【００５７】  利用側熱交換器２１から流出した高圧の液冷媒は、絞り装置２２によって減圧されて低温低圧の気液二相冷媒となる。低温低圧の気液二相冷媒は、分岐流路によって分岐し、冷媒流量調整機構１１０及び第２の熱源側熱交換器１３ｂに流入する。
【００５８】  冷媒流量調整機構１１０に流入した低温低圧の気液二相冷媒は、流量が予め設定された流量に調整されて冷媒流量調整機構１１０から流出し、第１の熱源側熱交換器１３ａに流入する。  第１の熱源側熱交換器１３ａに流入した低温低圧の気液二相冷媒は、室外空気と熱交換して吸熱及び蒸発し、低温低圧のガス冷媒となって第１の熱源側熱交換器１３ａから流出する。
【００５９】  一方、第２の熱源側熱交換器１３ｂに流入した低温低圧の気液二相冷媒は、室外空気と熱交換して吸熱及び蒸発し、低温低圧のガス冷媒となって第２の熱源側熱交換器１３ｂから流出する。
【００６０】  第１の熱源側熱交換器１３ａ及び第２の熱源側熱交換器１３ｂから流出した低温低圧のガス冷媒は、合流流路によって合流し、冷媒流路切替装置１２及びアキュムレータ１４を通過して、圧縮機へ吸入される。
【００６１】  次に、暖房運転時に熱源側熱交換器１３が蒸発器として使用される場合の、熱源側熱交換器１３における冷媒流路及び冷媒温度の関係、並びに着霜量及び霜取運転時の融解水量について説明する。
【００６２】（熱源側熱交換器の表面積と冷媒温度との関係について）  一般的に、蒸発器として使用される熱交換器の表面積を小さくした場合、熱交換器の冷媒流出口から流出する冷媒の温度は、熱交換器の表面積が大きい場合と比較して低くなる。  すなわち、表面積を大きくした熱交換器を流れる冷媒は、冷媒流出口における温度が高くなる。
【００６３】（冷媒流量の調整について）  また、熱交換器に流入する冷媒の流量が熱交換器の熱交換容量に対して十分に少ない場合、熱交換器を流れる冷媒に対する圧力損失が少なくなる。そのため、冷媒の圧力損失による温度低下は、冷媒流量が熱交換器の熱交換容量に対して十分である場合と比較して小さくなる。  このように、熱交換器に流入する冷媒の流量が熱交換器の熱交換容量に対して十分に少ない場合、冷媒流出口から流出する冷媒は、過熱度が大きい状態で流出することになるので、この冷媒の温度は、冷媒流量が十分である場合と比較して高くなる。
【００６４】  本実施の形態２では、第１の熱源側熱交換器１３ａに流入する冷媒の流量を冷媒流量調整機構１１０によって調整し、第１の熱源側熱交換器１３ａの熱交換容量に対して十分に少なくする。これにより、第１の熱源側熱交換器１３ａから流出する冷媒は、過熱度が大きい状態で流出するため、この冷媒の温度は、冷媒流量が第１の熱源側熱交換器１３ａの熱交換容量に対して十分である場合と比較して高くなる。
【００６５】  なお、冷媒流量調整機構１１０によって調整される冷媒の流量（第１の熱源側熱交換器１３ａへ流入する冷媒の流量）は、例えば、第１の熱源側熱交換器１３ａの熱交換容量を熱源側熱交換器１３全体の熱交換容量で除して得られる容量比率に、全体の冷媒流量を乗じることによって得られる冷媒流量以下に調整することができる。
【００６６】  このように、熱交換器の表面積を大きくしたり、熱交換器に流入する冷媒の流量を少なくすることにより、温度が高い状態で冷媒を熱交換器から流出させることができる。  これにより、暖房運転時には、熱源側熱交換器への着霜量が少なくなるため、霜取運転時に発生するドレン水の量を少なくすることができる。
【００６７】  本実施の形態２では、第１の熱源側熱交換器１３ａの表面積を小さくするとともに、冷媒流量調整機構１１０を用いて第１の熱源側熱交換器１３ａに流入する冷媒の流量を調整し、冷媒流量を第１の熱源側熱交換器１３ａの熱交換容量に対して十分に少なくする。  これにより、温度が高い過熱ガスとして第１の熱源側熱交換器１３ａの冷媒流出口１５ｂから冷媒を流出させることができ、霜取運転時に発生するドレン水の量を抑制することができる。
【００６８】  以上のように、本実施の形態２によれば、第１の熱源側熱交換器１３ａの表面積を小さくするとともに、冷媒流量調整機構１１０を用いて第１の熱源側熱交換器１３ａに流入する冷媒の流量を調整し、冷媒流量を第１の熱源側熱交換器１３ａの熱交換容量に対して十分に少なくする。そのため、霜取運転時に発生するドレン水の量を抑制することができ、サービスパネルの氷結を抑制することができる。
【００６９】  以上、本発明の実施の形態１及び実施の形態２について説明したが、本発明は、上述した本発明の実施の形態１及び実施の形態２に限定されるものではなく、本発明の要旨を逸脱しない範囲内で様々な変形や応用が可能である。
【００７０】  例えば、上述した例では、熱源側熱交換器１３としてＬ字状に形成された第１の熱源側熱交換器１３ａ及び第２の熱源側熱交換器１３ｂを用いる場合について説明したが、これに限られず、例えば、４つの平板状の熱源側熱交換器を各パネル５０ａ〜５０ｄに沿うようにして配置してもよい。  この場合には、サービスパネルである前面パネル５０ａに沿って配置される平板状の熱源側熱交換器において、冷媒流入口１５ａ及び冷媒流出口１５ｂをそれぞれ取り入れる空気の風上側及び風下側に配置する。これにより、当該平板状の熱源側熱交換器が並行流方式となるため、上述した実施の形態１と同様の作用効果を得ることができる。  また、例えば、平板状の熱源側熱交換器をサービスパネル（例えば、前面パネル５０ａ）に沿うように配置するとともに、隣り合う３辺で形成される形状の熱源側熱交換器をそれ以外のパネル（例えば、パネル５０ｂ〜５０ｄ）に沿うようにして配置してもよい。
【００７１】  さらに、上述した例では、冷媒流入口１５ａ及び冷媒流出口１５ｂを熱源側熱交換器１３における同一の端面に設けた場合について説明したが、これに限られず、サービスパネルである前面パネル５０ａに沿って配置される熱源側熱交換器において、冷媒流出口１５ｂが風下側となるようにして、冷媒流入口１５ａ及び冷媒流出口１５ｂを異なる端面に設けてもよい。
【符号の説明】
【００７２】  １、２  空気調和装置、１０  室外機、１１  圧縮機、１２  冷媒流路切替装置、１３  熱源側熱交換器、１３ａ  第１の熱源側熱交換器、１３ｂ  第２の熱源側熱交換器、１４  アキュムレータ、１５ａ  冷媒流入口、１５ｂ  冷媒流出口、１６  伝熱管、１７  フィン、２０、２０Ａ、２０Ｂ、２０Ｃ  室内機、２１、２１Ａ、２１Ｂ、２１Ｃ  利用側熱交換器、２２、２２Ａ、２２Ｂ、２２Ｃ  絞り装置、３０  冷媒配管、５０  筐体、５０ａ  前面パネル、５０ｂ  背面パネル、５０ｃ、５０ｄ  側面パネル、５０ｅ  上面パネル、５０ｆ  底面パネル、５１  ファン、１００  室外機、１１０  冷媒流量調整機構。
【図１】
2017072866.tif 000003
【図２】
2017072866.tif 000004
【図３】
2017072866.tif 000005
【図４】
2017072866.tif 000006
【図５】
2017072866.tif 000007
【手続補正書】
【提出日】平成30年1月19日(2018.1.19)
【手続補正１】
【補正対象書類名】明細書
【補正対象項目名】０００９
【補正方法】変更
【補正の内容】
【０００９】
本発明の空気調和装置は、圧縮機、冷媒流路切替装置及び熱源側熱交換器を含む室外機と、絞り装置及び利用側熱交換器を含む室内機とを備え、前記室外機及び前記室内機が配管で接続され、前記室外機、前記室内機及び前記配管内を冷媒が流れる空気調和装置であって、前記室外機は、前記室外機外の空気を取り込む吸気口が設けられた複数のパネルによって外郭の側面が形成されるとともに、前記複数のパネルのうち少なくとも１つがサービスパネルとされており、前記熱源側熱交換器は、前記サービスパネルを含む側面に沿って設けられる第１の熱源側熱交換器と、前記サービスパネルを含む側面とは異なる側面に沿って設けられる第２の熱源側熱交換器との複数に分割されて構成されており、前記室外機は、暖房運転の際に、前記第１の熱源側熱交換器に流入する前記冷媒の流量を設定流量以下に調整する冷媒流量調整機構を備え、前記第１の熱源側熱交換器は、前記暖房運転の際に、前記冷媒の流路が前記空気の流れに対して並行流となるものである。
【手続補正２】
【補正対象書類名】特許請求の範囲
【補正対象項目名】全文
【補正方法】変更
【補正の内容】
【特許請求の範囲】
【請求項１】
圧縮機、冷媒流路切替装置及び熱源側熱交換器を含む室外機と、絞り装置及び利用側熱交換器を含む室内機とを備え、前記室外機及び前記室内機が配管で接続され、前記室外機、前記室内機及び前記配管内を冷媒が流れる空気調和装置であって、
前記室外機は、
前記室外機外の空気を取り込む吸気口が設けられた複数のパネルによって外郭の側面が形成されるとともに、前記複数のパネルのうち少なくとも１つがサービスパネルとされており、
前記熱源側熱交換器は、
前記サービスパネルを含む側面に沿って設けられる第１の熱源側熱交換器と、前記サービスパネルを含む側面とは異なる側面に沿って設けられる第２の熱源側熱交換器との複数に分割されて構成されており、
前記室外機は、
暖房運転の際に、前記第１の熱源側熱交換器に流入する前記冷媒の流量を設定流量以下に調整する冷媒流量調整機構を備え、
前記第１の熱源側熱交換器は、
前記暖房運転の際に、前記冷媒の流路が前記空気の流れに対して並行流となる
空気調和装置。
【請求項２】
前記冷媒流量調整機構は、
前記第１の熱源側熱交換器に流入する冷媒の流量を、前記第１の熱源側熱交換器の熱交換容量を前記熱源側熱交換器全体の熱交換容量で除して得られる容量比率に、前記熱源側熱交換器全体を流れる冷媒の冷媒流量を乗じることによって得られる冷媒流量以下に調整する
請求項１に記載の空気調和装置。
【請求項３】
前記第１の熱源側熱交換器は、
Ｌ字状に形成され、
前記サービスパネルと該サービスパネルに隣接するパネルとに沿って設けられる
請求項１または２に記載の空気調和装置。
【請求項４】
前記第１の熱源側熱交換器は、
平板状に形成され、
前記サービスパネルに沿って設けられる
請求項１または２に記載の空気調和装置。
【請求項５】
前記第１の熱源側熱交換器は、
前記冷媒が流入する冷媒流入口が、取り込まれる前記空気の流れに対して風上側に設けられるとともに、前記冷媒が流出する冷媒流出口が、取り込まれる前記空気の流れに対して風下側に設けられる
請求項１〜４のいずれか一項に記載の空気調和装置。
【請求項６】
前記第１の熱源側熱交換器の前記冷媒流入口及び前記冷媒流出口は、
同一の端面に設けられる
請求項５に記載の空気調和装置。
【請求項７】
前記第１の熱源側熱交換器の前記冷媒流入口及び前記冷媒流出口は、
異なる端面に設けられる
請求項５に記載の空気調和装置。
【請求項８】
圧縮機、冷媒流路切替装置及び熱源側熱交換器を備え、各部及び該各部を接続する配管内を冷媒が流れる空気調和装置の室外機であって、
前記室外機外の空気を取り込む吸気口が設けられた複数のパネルによって外郭の側面が形成されるとともに、前記複数のパネルのうち少なくとも１つがサービスパネルとされており、
前記熱源側熱交換器は、
前記サービスパネルを含む側面に沿って設けられる第１の熱源側熱交換器と、前記サービスパネルを含む側面とは異なる側面に沿って設けられる第２の熱源側熱交換器との複数に分割されて構成されており、
暖房運転の際に、前記第１の熱源側熱交換器に流入する前記冷媒の流量を設定流量以下に調整する冷媒流量調整機構を備え、
前記第１の熱源側熱交換器は、
前記冷媒が流入する冷媒流入口が、取り込まれる前記空気の流れに対して風上側に設けられるとともに、前記冷媒が流出する冷媒流出口が、取り込まれる前記空気の流れに対して風下側に設けられ、
前記暖房運転の際に、前記冷媒の流路が前記空気の流れに対して並行流となる
空気調和装置の室外機。
【国際調査報告】
2017072866.tif 000008
2017072866.tif 000009
2017072866.tif 000010
2017072866.tif 000011